(57)【要約】【課題】抜き曲げの加工を主体とした製造方法により容易に製造することができる薄型バックライトの製造方法を提供すること。【解決手段】本発明の薄型バックライトの製造方法１０は、樹脂板をカットし拡散機能を付与した導光板１１とする製造工程と、ＬＥＤモジュール１２を導光板１１のエッジ側に取付ける製造工程と、後方側が開口した凹形状の導光板収納枠１７を製造する製造工程と、導光板収納枠１７に導光板１１を内装する製造工程と、導光板収納枠１７をスペーサ枠１８の収納部１８ａに挿入する第５の製造工程と、導光板１１の上面を覆う上面カバー１６をスペーサ枠１８の上側に固定する製造工程と、スペーサ枠１８の下側に下面カバー１９を固定する製造工程とを備えることとした。【選択図】図２
2011228010.tif 000002
【特許請求の範囲】
【請求項１】
樹脂板を所定の形状にカットし拡散機能を付与した導光板とする第１の製造工程と、ＬＥＤを実装したＬＥＤモジュールを前記導光板のエッジ側に取付ける第２の製造工程と、複数の側面板を形成し後方側が開口した凹形状の導光板収納枠を製造する第３の製造工程と、前記ＬＥＤモジュールを取付けた前記導光板を前記導光板収納枠に内装する第４の製造工程と、前記導光板収納枠をスペーサ枠の収納部に挿入する第５の製造工程と、前記導光板の上面を覆う透明または半透明の上面カバーを前記スペーサ枠の上側に固定する第６の製造工程と、前記スペーサ枠の下側に下面カバーを固定する第７の製造工程とにより製造することを特徴とする薄型バックライトの製造方法。
【請求項２】
樹脂板を所定の形状にカットし拡散機能を付与した導光板とする第１の製造工程と、ＬＥＤを実装したＬＥＤモジュールを前記導光板のエッジ側に取付ける第２の製造工程と、複数の側面板を形成し後方側が開口した凹形状の導光板収納枠を製造する第３の製造工程と、前記ＬＥＤモジュールを取付けた前記導光板を前記導光板収納枠に内装する第４の製造工程とにより製造することを特徴とする薄型バックライトの製造方法。
【請求項３】
前記導光板収納枠は、内側面に反射機能を有することを特徴とする請求項１または請求項２に記載の薄型バックライトの製造方法。
【請求項４】
前記導光板収納枠は、前記側面板を内側に向け傾斜させることを特徴とする請求項１または請求項２に記載の薄型バックライトの製造方法。
【発明の詳細な説明】
【技術分野】
【０００１】
本発明は、抜き曲げの加工を主体とした製造方法により容易に製造することができる薄型バックライトの製造方法に関する。
【背景技術】
【０００２】
薄型バックライトは、液晶ディスプレイなどの平面状の表示装置や、平面状の掲示板や警告板などにエッジライト方式によるものが幅広く使用されている（例えば、特許文献１参照）。ところが、これらに使用される従来の薄型バックライトは、使用される導光板、蓋形状の上面カバー、導光板のホルダなどが樹脂成形品であり、小ロット生産になるにつれコスト高となるという問題があった。
【先行技術文献】
【特許文献】
【０００３】
【特許文献１】特開２００４−９５５１６号公報
【発明の概要】
【発明が解決しようとする課題】
【０００４】
本発明は、上記の問題に鑑みてなされたものであって、抜き曲げの加工を主体とした製造方法により容易に製造することができる薄型バックライトの製造方法を提供することを目的とする。
【課題を解決するための手段】
【０００５】
本発明の薄型バックライトの製造方法は、樹脂板を所定の形状にカットし拡散機能を付与した導光板とする第１の製造工程と、ＬＥＤを実装したＬＥＤモジュールを前記導光板のエッジ側に取付ける第２の製造工程と、複数の側面板を形成し後方側が開口した凹形状の導光板収納枠を製造する第３の製造工程と、前記ＬＥＤモジュールを取付けた前記導光板を前記導光板収納枠に内装する第４の製造工程と、前記導光板収納枠をスペーサ枠の収納部に挿入する第５の製造工程と、前記導光板の上面を覆う透明または半透明の上面カバーを前記スペーサ枠の上側に固定する第６の製造工程と、前記スペーサ枠の下側に下面カバーを固定する第７の製造工程とを備えることとした。
【０００６】
また、本発明の薄型バックライトの製造方法は、樹脂板を所定の形状にカットし拡散機能を付与した導光板とする第１の製造工程と、ＬＥＤを実装したＬＥＤモジュールを前記導光板のエッジ側に取付ける第２の製造工程と、複数の側面板を形成し後方側が開口した凹形状の導光板収納枠を製造する第３の製造工程と、前記ＬＥＤモジュールを取付けた前記導光板を前記導光板収納枠に内装する第４の製造工程と備えることとした。
【０００７】
また、前記導光板収納枠は、内側面に反射機能を有することとした。
【０００８】
さらに、前記導光板収納枠は、前記側面板を内側に向け傾斜させることとした。
【発明の効果】
【０００９】
本発明の薄型バックライトの製造方法は、樹脂板を所定の形状にカットし拡散機能を付与した導光板とする第１の製造工程と、ＬＥＤを実装したＬＥＤモジュールを前記導光板のエッジ側に取付ける第２の製造工程と、複数の側面板を形成し後方側が開口した凹形状の導光板収納枠を製造する第３の製造工程と、前記ＬＥＤモジュールを取付けた前記導光板を前記導光板収納枠に内装する第４の製造工程と、前記導光板収納枠をスペーサ枠の収納部に挿入する第５の製造工程と、前記導光板の上面を覆う透明または半透明の上面カバーを前記スペーサ枠の上側に固定する第６の製造工程と、前記スペーサ枠の下側に下面カバーを固定する第７の製造工程とを備えることとしたため、抜き曲げの加工を主体とし、薄型バックライトを容易に製造することができる。
【００１０】
また、本発明の薄型バックライトの製造方法は、樹脂板を所定の形状にカットし拡散機能を付与した導光板とする第１の製造工程と、ＬＥＤを実装したＬＥＤモジュールを前記導光板のエッジ側に取付ける第２の製造工程と、複数の側面板を形成し後方側が開口した凹形状の導光板収納枠を製造する第３の製造工程と、前記ＬＥＤモジュールを取付けた前記導光板を前記導光板収納枠に内装する第４の製造工程と備えることとしたため、抜き曲げの加工を主体とし、より簡潔構造で薄型バックライトを容易に製造することができる。
【００１１】
また、前記導光板収納枠は、内側面に反射機能を有することとしたため、内装された導光板の導光機能をより高めることができる。
【００１２】
さらに、前記導光板収納枠は、前記側面板を内側に向け傾斜させることとしたため、導光板を固定状態にするができ、落下防止などをより確実に行うことができる。
【図面の簡単な説明】
【００１３】
【図１】本発明の第１の実施の形態の薄型バックライトの製造方法により製造される薄型バックライトの構成図を示す。
【図２】本発明の第１の実施の形態の薄型バックライトの製造方法の工程図を示す。
【図３】本発明の第１の実施の形態の薄型バックライトが組立てられたときの斜視図を示す。
【図４】本発明の第２の実施の形態の薄型バックライトの製造方法により製造する薄型バックライトの構成図を示す。
【発明を実施するための形態】
【００１４】
以下、本発明の実施の形態の薄型バックライトの製造方法につき説明する。
【実施例１】
【００１５】
図１は、本発明の第１の実施の形態の薄型バックライトの製造方法により製造される薄型バックライトの構成図を示す。
【００１６】
図１に示すように、本発明の第１の実施の形態の薄型バックライトの製造方法による薄型バックライト１０は、後方エッジ側１１ａにＬＥＤモジュール１２が両面テープ１３ａにより取付けられ、ＬＥＤモジュール１２のプリント基板１３に実装され電源線１５に接続するＬＥＤ１４が発光する光が導入される導光板１１と、内側となる面に反射機能を有する金属板で形成され、ＬＥＤモジュール１２を取付けた導光板１１が収納部１７ｄに挿入されたとき、前方側面板１７ａ、右側側面板１７ｂ、左側側面板１７ｃにより導光板１１を保持する導光板収納枠１７と、導光板１１が内装された導光板収納枠１７が収納部１８ａに挿入されるスペーサ枠１８と、導光板１１の上面を覆う上面カバー１６と、導光板収納枠１７が取付けられる下面カバー１９とで構成されている。下面カバー１９はロの字形の両面テープ１９ａによりスペーサ枠１８の下側に固定され、上面カバー１６はロの字形の両面テープ１６ａによりスペーサ枠１８の上側に固定される。
【００１７】
図２は、本発明の第１の実施の形態の薄型バックライトの製造方法の工程図を示す。
【００１８】
本発明の第１の実施の形態の薄型バックライトの製造方法は、図１を参照し図２により説明する。
【００１９】
図２に示すように、薄型バックライトの製造工程２０は、光透明度が高いアクリル樹脂などの樹脂板を所定の長手形状にカットし印刷などにより上方への拡散機能を付与した導光板１１とする第１の製造工程２１と、ＬＥＤ１４が実装されたＬＥＤモジュール１２を両面テープ１３ａにより導光板１１の後方エッジ側１１ａに取付ける第２の製造工程２２と、内側になる面に反射機能を有する金属板の抜き曲げ加工により前方側面板１７ａ、右側側面板１７ｂ、左側側面板１７ｃを形成し後方側が開口した凹形状の導光板収納枠１７を製造する第３の製造工程２３と、ＬＥＤモジュール１２を両面テープ１３ａにより後方エッジ側１１ａに取付けた導光板１１を導光板収納枠１７の内側に内装する第４の製造工程２４と、導光板１１が内装された導光板収納枠１７をスペーサ枠１８の収納部１８ａに挿入する第５の製造工程２５と、導光板１１の上面を覆う透明または半透明の上面カバー１６をロの字形の両面テープ１６ａによりスペーサ枠１８の上側に固定する第６の製造工程２６と、ロの字形の両面テープ１９ａによりスペーサ枠１８の下側に下面カバー１９を固定する第７の製造工程２７とで行われる。
【００２０】
図３は、本発明の第１の実施の形態の薄型バックライトが組立てられたときの斜視図を示す。
【００２１】
図３に示すように、組立てられた薄型バックライト１０は、電源線１５により電力供給が行われたとき、内装したＬＥＤが点灯し導光板１１により導かれ、透明または半透明の上面カバー１６より光Ｌを出力することができる。
【００２２】
また、薄型バックライト１０の後方のスペース部にはシリコンＳを導入するため、電源線１５を確実に保持しはずれなどを防止することができる。シリコンＳは、図１に示す両面テープ１６ａ、１９ａの端部同士により電源線１５を仮固定した後に導入する。
【００２３】
また、組立てられた薄型バックライト１０は、半透明または上面の光が通過する部分を透明としたカバーを上方に装着することができ、さらに、上面に文字の印刷や、凹または凸形状の文字を形成することができる。
【００２４】
以上述べたように、本発明の第１の実施の形態の薄型バックライトの製造方法により、抜き曲げの加工を主体とし、薄型バックライトを容易に製造することができる。
【００２５】
なお、導光板収納枠１７は、導光板１１が収納部１７ａに挿入されたとき、前方側面板１７ａ、右側側面板１７ｂ、左側側面板１７ｃにより導光板１１を保持するため、落下防止などが行われ生産性を高めることができ、右側側面板１７ｂ、左側側面板１７ｃを内側に向け傾斜させることにより導光板１１を固定状態にするができ、落下防止などをより確実に行うことができる。
【００２６】
また、導光板収納枠１７は、内側となる面に反射機能を有する金属板で形成するため、内装された導光板１１の導光機能をより高めることができる。
【００２７】
また、導光板１１の上面に拡散板を設け拡散機能をより高めることもできる。
【００２８】
さらに、薄型バックライト１０は、上面カバー１６と、下面カバー１９と、導光板１１、導光板収納枠１７、スペーサ枠１８との薄型の三重構造であり、上面カバー１６、スペーサ枠１８、下面カバー１９は抜き加工により製造し、導光板収納枠１７は抜き曲げ加工により製造し、導光板１１はカット加工により製造するため、加工容易の製造とすることもできる。
【実施例２】
【００２９】
図４は、本発明の第２の実施の形態の薄型バックライトの製造方法により製造する薄型バックライトの構成図を示す。
【００３０】
図４に示すように、本発明の第２の実施の形態の薄型バックライトの製造方法による薄型バックライト３０は、後方エッジ側３１ａにＬＥＤモジュール３２が両面テープ３３ａにより取付けられ、ＬＥＤモジュール３２のプリント基板３３に実装され電源線３５に接続するＬＥＤ３４が発光する光が導入される導光板３１と、内側となる面に反射機能を有する金属板で形成され、ＬＥＤモジュール３２を取付けた導光板３１が収納部３７ｄに挿入されたとき、前方側面板３７ａ、右側側面板３７ｂ、左側側面板３７ｃにより導光板３１を保持する導光板収納枠３７とで構成されている。
【００３１】
薄型バックライト３０の製造工程は、光透明度が高いアクリル樹脂などの樹脂板を所定の長手形状にカットし印刷などにより上方への拡散機能を付与した導光板３１とする第１の製造工程と、ＬＥＤ３４が実装されたＬＥＤモジュール３２を両面テープ３３ａにより導光板３１の後方エッジ側３１ａに取付ける第２の製造工程と、内側になる面に反射機能を有する金属板の抜き曲げ加工により前方側面板３７ａ、右側側面板３７ｂ、左側側面板３７ｃを形成し後方側が開口した凹形状の導光板収納枠３７を製造する第３の製造工程と、ＬＥＤモジュール３２を両面テープ３３ａにより後方エッジ側３１ａに取付けた導光板３１を導光板収納枠３７の内側に内装する第４の製造工程とで行われる。
【００３２】
以上述べたように、本発明の第２の実施の形態の薄型バックライトの製造方法により、抜き曲げの加工を主体とし、より簡潔構造で薄型バックライトを容易に製造することができる。
【００３３】
また、導光板収納枠３７は、本発明の第１の実施の形態の導光板収納枠１７と同様の効果を得ることができる。
【００３４】
なお、本発明の第１、２の実施の形態の導光板収納枠１７、３７は、樹脂製品とすることもできる。
【産業上の利用可能性】
【００３５】
本発明の製造方法による薄型バックライトは、液晶ディスプレイなどの平面状の表示装置に限らず、平面状の掲示板や警告板などにも使用することができる。自動車用や建物用などに幅広く適用することができる。
【符号の説明】
【００３６】
１０、３０  薄型バックライト
１１、３１  導光板
１２、３２  ＬＥＤモジュール
１４、３４  ＬＥＤ
１６、上面カバー
１７、３７  導光板収納枠
１８  スペーサ枠
１９  下面カバー
２０  薄型バックライトの製造工程
２１  第１の製造工程
２２  第２の製造工程
２３  第３の製造工程
２４  第４の製造工程
２５  第５の製造工程
２６  第６の製造工程
２７  第７の製造工程
【図１】
2011228010.tif 000003
【図２】
2011228010.tif 000004
【図３】
2011228010.tif 000005
【図４】
2011228010.tif 000006